(57)【要約】【課題】表示制御装置、表示制御方法、及びその方法をコンピュータに実行させるためのコンピュータ・プログラムを提供する。【解決手段】第１カテゴリーに含まれたコンテンツが並べられた第１ページを、画面の第１領域に表示し、複数のカテゴリーを、上下方向または左右方向に並べ、画面の第２領域に表示し、第１ページは、カテゴリーが並べられた方向にスクロール自在に表示される第１表示段階と、第１ページに対するスクロール信号を認識する段階と、スクロール信号に基づいて、第１ページのスクロールを行い、第１ページの位置によって、スクロールが不可能である場合、スクロール信号に基づいて、カテゴリー移動命令を生成する決定段階と、スクロール信号に基づいて、カテゴリーを移動すると決定されれば、第２カテゴリーに含まれたコンテンツが並べられた第２ページを、第１領域に表示する第２表示段階と、を含む表示制御方法である。【選択図】図３
2016038900.tif 000002
【特許請求の範囲】
【請求項１】
第１カテゴリーに含まれたコンテンツが並べられた第１ページを、画面の第１領域に表示し、複数のカテゴリーを、上下方向または左右方向に並べ、前記画面の第２領域に表示し、前記第１ページは、前記カテゴリーが並べられた方向にスクロール自在に表示される第１表示段階と、
前記第１ページに対するスクロール信号を認識する段階と、
前記スクロール信号に基づいて、前記第１ページのスクロールを行い、前記第１ページの位置によって、スクロールが不可能である場合、前記スクロール信号に基づいて、カテゴリー移動命令を生成する決定段階と、
前記スクロール信号に基づいて、前記カテゴリーを移動すると決定されれば、第２カテゴリーに含まれたコンテンツが並べられた第２ページを、前記第１領域に表示する第２表示段階と、
ことを含む表示制御方法。
【請求項２】
前記第２カテゴリーは、前記第２領域上で、第１カテゴリーと隣接するように並べられたカテゴリーであり、
前記第２カテゴリーは、前記スクロール信号の方向によって決定されることを特徴とする請求項１に記載の表示制御方法。
【請求項３】
前記複数のカテゴリーの色相は、互いに異なるように表示され、
前記第１ページの色相は、前記第１カテゴリーの色相に基づいて、表示され、
前記第２ページの色相は、前記第２カテゴリーの色相に基づいて、表示されることを特徴とする請求項１に記載の表示制御方法。
【請求項４】
前記第１表示段階は、前記第２領域に表示された前記第１カテゴリーを強調表示し、
前記第２表示段階は、前記第２領域に表示された前記第１カテゴリーの強調表示を解除し、前記第２カテゴリーを強調表示することを特徴とする請求項１に記載の表示制御方法。
【請求項５】
前記決定段階は、
前記スクロール信号の方向が、前記第１ページを第１方向にスクロールするための方向であり、前記第１ページの前記第１方向の最端部が、前記第１領域のエッジに位置する場合、前記カテゴリー移動命令を生成することを特徴とする請求項１に記載の表示制御方法。
【請求項６】
前記スクロール信号は、ドラッグ信号であり、
前記決定段階は、
前記スクロール信号の方向が、前記第１ページを第１方向にスクロールするための方向である場合、前記第１ページの前記第１方向の最端部が、前記第１領域のエッジに位置するか否かということを決定する第１決定段階と、
前記スクロール信号が、既設定ドラッグ条件を満足するか否かということを決定する第２決定段階と、を含み、
前記決定段階は、
前記第１決定段階と前記第２決定段階との決定結果がいずれも肯定である場合、前記カテゴリー移動命令を生成することを特徴とする請求項１に記載の表示制御方法。
【請求項７】
前記第１決定段階は、
前記第１ページの前記第１方向の最端部が、前記第１領域の前記第１方向のエッジに位置する場合、前記第１ページの前記第１方向へのスクロールが、それ以上不可能であるということを決定することを特徴とする請求項６に記載の表示制御方法。
【請求項８】
前記既設定ドラッグ条件は、前記ドラッグ信号の長さ、速度、及び前記ドラッグ信号が入力された全時間のうち少なくとも１つのパラメータが、既設定基準を超えることを特徴とする請求項６に記載の表示制御方法。
【請求項９】
前記既設定ドラッグ条件は、前記ドラッグ信号の長さが、既設定基準を超える第１条件と、前記ドラッグ信号が、前記第１領域の前記第１方向の最端部から、既設定基準距離ほど離れた地点を通過する第２条件とのうち少なくとも１つの条件を満足することを特徴とする請求項６に記載の表示制御方法。
【請求項１０】
前記ドラッグ信号は、連続したタッチ信号によって入力されることを特徴とする請求項６に記載の表示制御方法。
【請求項１１】
前記第２表示段階は、
前記第１領域に表示された前記第１ページを、前記第２ページに転換するとき、前記第２ページに、所定のアニメーションを適用することを特徴とする請求項１に記載の表示制御方法。
【請求項１２】
前記第２表示段階は、
前記第２ページを表示する前に、前記第２カテゴリーを示すテキスト、イメージ、色相及びアニメーションのうち少なくとも一つを、前記第１ページの最端部に表示することを特徴とする請求項１に記載の表示制御方法。
【請求項１３】
画面の表示を制御する装置において、
前記画面の第１領域に表示された第１ページに対して入力されるスクロール信号を認識するスクロール認識部と、
前記スクロール信号に基づいて、前記第１ページのスクロールを行い、前記第１ページの位置によって、スクロールが不可能である場合、前記スクロール信号に基づいて、第２カテゴリーへのカテゴリー移動命令を生成するスクロール判断部と、
第１カテゴリーに含まれたコンテンツが並べられた前記第１ページを、前記画面の第１領域に表示し、複数のカテゴリーを、上下方向または左右方向に並べ、前記画面の第２領域に表示し、前記第１ページは、前記複数のカテゴリーが並べられた方向にスクロール自在に表示され、前記カテゴリー移動命令が生成されれば、前記カテゴリー移動命令によって前記第２カテゴリーに含まれたコンテンツが並べられた第２ページを、前記第１領域に表示する表示制御部と、を含む表示制御装置
【請求項１４】
前記複数のカテゴリーは、前記第１カテゴリー及び前記第２カテゴリーを含み、
前記第２カテゴリーは、前記第１カテゴリーと隣接するように並べられたカテゴリーであり、
前記スクロール判断部は、
前記スクロール信号の方向によって、前記第２カテゴリーを決定することを特徴とする請求項１３に記載の表示制御装置。
【請求項１５】
請求項１ないし１２のうちいずれか１項に記載の方法をコンピュータに実行させるためのコンピュータ・プログラム。
【発明の詳細な説明】
【技術分野】
【０００１】
本発明は、表示制御装置、表示制御方法、及びその方法をコンピュータで実行させるためのコンピュータ・プログラムに関する。
【背景技術】
【０００２】
画面（ｓｃｒｅｅｎ）やパネルに表示されているページを、縦（ｖｅｒｔｉｃａｌ）方向及び／または横（ｈｏｒｉｚｏｎｔａｌ）方向に移動させることをスクロールという。移動された画面から消えた部分ほど、反対側に新たな情報が示される。１枚のページ内で表示する情報の量が、画面で表示することができる量より多いために、そのようなスクロール機能が頻繁に使用される。スクロールを行いながら、画面上の情報を読み取ることができる。コンソール、ワープロ、モバイル端末、パソコンなどの表示装置には、ほぼ例外なしに、スクロール機能が備わっている。
【０００３】
マウスのような外部機器が具備される場合、ホイールを動かしたり、あるいはスクロールバーをドラッグし、スクロールを行うことができ、タッチパッドが具備される場合、画面上のページを直接クリックまたはドラッグし、スクロールを行うことができる。
【発明の概要】
【発明が解決しようとする課題】
【０００４】
本発明が解決しようとする課題は、スクロール信号を利用して、ページをスクロールし、かつページ転換を行うことができる表示制御装置、表示制御方法、及びその方法をコンピュータで実行させるためのコンピュータ・プログラムを提供するところにある。
【課題を解決するための手段】
【０００５】
前記課題を解決するために、本発明の一実施形態は、第１カテゴリーに含まれたコンテンツが並べられた第１ページを、画面の第１領域に表示し、複数のカテゴリーを、上下方向または左右方向に並べ、前記画面の第２領域に表示し、前記第１ページは、前記カテゴリーが並べられた方向にスクロール自在に表示される第１表示段階と、前記第１ページに対するスクロール信号を認識する段階と、前記スクロール信号に基づいて、前記第１ページのスクロールを行い、前記第１ページの位置によって、スクロールが不可能である場合、前記スクロール信号に基づいて、カテゴリー移動命令を生成する決定段階と、及び前記スクロール信号に基づいて、前記カテゴリーを移動すると決定されれば、第２カテゴリーに含まれたコンテンツが並べられた第２ページを、前記第１領域に表示する第２表示段階と、を含む表示制御方法を開示する。
【０００６】
本発明の他の実施形態は、画面の表示を制御する装置において、前記画面の第１領域に表示された第１ページに対して入力されるスクロール信号を認識するスクロール認識部と、前記スクロール信号に基づいて、前記第１ページのスクロールを行い、前記第１ページの位置によって、スクロールが不可能である場合、前記スクロール信号に基づいて、第２カテゴリーへのカテゴリー移動命令を生成するスクロール判断部と、第１カテゴリーに含まれたコンテンツが並べられた第１ページを、画面の第１領域に表示し、複数のカテゴリーを、上下方向または左右方向に並べ、前記画面の第２領域に表示し、前記第１ページは、前記複数のカテゴリーが並べられた方向にスクロール自在に表示され、前記カテゴリー移動命令が生成されれば、前記カテゴリー移動命令によって、前記第２カテゴリーに含まれたコンテンツが並べられた第２ページを、前記第１領域に表示する表示制御部を含む表示制御装置を開示する。
【０００７】
本発明のさらに他の実施形態は、コンピュータを利用して、前述の方法をコンピュータに実行させるための、コンピュータ・プログラム及びそのコンピュータ・プログラムが記録されたコンピュータで読み取り可能な記録媒体を開示する。
【０００８】
前述のところ以外の他の側面、特徴、利点は、以下の図面、特許請求の範囲及び発明の詳細な説明から明確になるであろう。
【発明の効果】
【０００９】
本発明の実施形態によれば、スクロール動作を利用して、ページ転換を行うことができる表示制御方法及び装置が提供される。
【００１０】
本発明の実施形態によれば、スクロール動作とページの位置とにより、ページのスクロールが行われたり、あるいはページの転換が行われたりし、ページの転換時、スクロール動作の方向が考慮され、多様な表示効果が適用されるので、ユーザがページの転換を直観的に認知することができる。
【図面の簡単な説明】
【００１１】
【図１】本発明の一実施形態による表示制御装置を概略的に示した構成図である。
【図２】本発明の一実施形態による表示制御方法を示したフローチャートである。
【図３】本発明の一実施形態による表示制御装置が提供する画面が表示された例を図示した図面である。
【図４】本発明の一実施形態による表示制御装置が提供する画面が表示された例を図示した図面である。
【図５】本発明の一実施形態による表示制御装置が提供する画面が表示された例を図示した図面である。
【図６】本発明の一実施形態による表示制御装置が提供する画面が表示された例を図示した図面である。
【図７】本発明の一実施形態による表示制御装置が提供する画面が表示された例を図示した図面である。
【図８】本発明の一実施形態による表示制御装置が提供する画面が表示された例を図示した図面である。
【図９】本発明の一実施形態による表示制御装置が提供する画面が表示された例を図示した図面である。
【発明を実施するための形態】
【００１２】
本発明は多様な変更を加えることができ、さまざまな実施形態を有することができるが、特定実施形態を図面に例示し、詳細に説明する。本発明の効果、特徴、及びそれらを達成する方法は、図面と共に詳細に説明する実施形態を参照すれば、明確になるであろう。しかし、本発明は、以下で開示される実施形態に限定されるものではなく、多様な形態で具現されるのである。
【００１３】
以下、添付された図面を参照し、本発明の実施形態について詳細に説明することにし、図面を参照して説明するとき、同一であるか、あるいは対応する構成要素は、同一の図面符号を付し、それに係わる重複説明は省略する。
【００１４】
以下の実施形態で、第１、第２のような用語は、限定的な意味ではなく、１つの構成要素を他の構成要素と区別する目的に使用される。以下の実施形態で、単数の表現は、文脈上明白な意味を有しない限り、複数の表現を含む。以下の実施形態で、「含む」または「有する」というような用語は、明細書上に記載された特徴、または構成要素が存在するということを意味するものであり、一つ以上の他の特徴または構成要素が付加される可能性をあらかじめ排除するものではない。
【００１５】
図１は、本発明の一実施形態による表示制御装置１００を概略的に示した構成図である。
【００１６】
一実施形態によって提供される表示制御装置１００は、少なくとも一つ以上のプロセッサ（ｐｒｏｃｅｓｓｏｒ）に該当するか、あるいは少なくとも一つ以上のプロセッサを含んでもよい。それにより、表示制御装置１００は、マイクロプロセッサや、汎用コンピュータシステムのような他のハードウェア装置に含まれた形態で駆動される。例えば、表示制御装置１００は、画面を表示することができる表示部を具備する端末に搭載される。
【００１７】
図１に図示された表示制御装置１００は、本実施形態の特徴が不明確になることを防止するために、本実施形態と係わる構成要素のみを図示したものである。従って、図１に図示された構成要素以外に、他の汎用的な構成要素がさらに含まれてもよいということは、本実施形態と係わる技術分野で当業者であるならば、理解することができるであろう。
【００１８】
一実施形態による表示制御装置１００は、端末１０の画面１１の表示を制御する。本発明の一実施形態による表示制御装置１００は、マルチメディア・コンテンツを表示するためのユーザ・インターフェースを提供することができる。一実施形態による表示制御装置１００は、複数のカテゴリーに含まれたマルチメディア・コンテンツの表示を制御する。マルチメディア・コンテンツは、例えば、ウェブ漫画コンテンツでもあり、一実施形態による表示制御装置１００は、ウェブ漫画コンテンツをカテゴリー別に分類し、一カテゴリーに含まれたウェブ漫画コンテンツをページに表示することができる。
【００１９】
一実施形態による表示制御装置１００は、画面１１上に表示されたページがスクロールされるとき、ページの表示を制御することができる。例えば、表示制御装置１００は、ページをスクロールしたり、あるいはページが最後までスクロールされ、それ以上スクロールが不可能であったりするとき、スクロールの方向によって表示されたページを他のページに転換することができる。一実施形態による表示制御装置１００は、スクロール認識部１１０、スクロール判断部１２０及び表示制御部１３０を含んでもよい。
【００２０】
スクロール認識部１１０は、ユーザから入力されたスクロール信号を認識する。スクロール信号は、画面に表示されたページに対して入力される。スクロール認識部１１０は、スクロール信号の多様なパラメータを認識する。該パラメータは、スクロール信号の速度、方向、位置などを含む。該スクロール信号は、タッチパネルを利用したドラッグ、ジェスチャ、モーションなどの動作で入力されたり、マウスのホイール、ジョイパッドなど別途の入力装置を利用して入力されたり、あるいは画面に表示されたスクロールバーを操作したりすることによって入力され、特定方法に限定されるものではない。
【００２１】
一実施形態によるスクロール判断部１２０は、認識されたスクロール信号に基づいて、画面に表示されたページのスクロールを制御する。スクロール判断部１２０は、画面上のページの位置によって、スクロールが不可能である場合には、ページ転換のための命令を生成する。例えば、ページが最後までスクロールされ、それ以上スクロールが不可能である場合、スクロール判断部１２０は、画面に表示されたページを、他のページに転換するための命令を生成する。前記ページは、１カテゴリーに係わるページでもあり、前記命令は、カテゴリー移動命令でもあり、前記命令によって、１カテゴリーに係わるページが異なるカテゴリーに係わるページに転換される。
【００２２】
スクロール判断部１２０は、スクロール信号によるページのスクロール方向と、ページの画面上位置とに基づいて、ページのスクロールがそれ以上不可能であるか否かということを判断することができる。スクロール判断部１２０は、画面に表示されたページの第１方向最端部が画面エッジに位置する場合、ページの第１方向スクロールがそれ以上不可能であると決定することができる。例えば、ページの最下端が、画面の下端エッジに位置する場合、スクロール判断部１２０は、ページの下方向スクロールが、それ以上不可能であると判断し、カテゴリー移動命令を生成することができる。
【００２３】
スクロール判断部１２０は、前述のような判断過程で、スクロール信号の方向を考慮することができるが、例えば、スクロール信号の方向が、ページを第１方向にスクロールするための方向であり、ページの第１方向最端部が画面エッジに位置する場合、前記ページの第１方向スクロールがそれ以上不可能であると判断し、カテゴリー移動命令を生成することができる。
【００２４】
前述の実施形態のスクロール判断部１２０の動作によれば、スクロール信号の用途は、基本的に、ページのスクロールであるが、ページのスクロールが、それ以上不可能である場合、スクロール信号の用途は、カテゴリー移動に決定される。
【００２５】
一方、他の実施形態によるスクロール判断部１２０は、認識されたスクロール信号を利用して、スクロール信号の用途を決定することができる。スクロール信号の用途は、ページのスクロール、またはカテゴリーの移動でもある。スクロール信号の用途を決定する基準は、スクロール信号の方向、及びページの画面上位置である。例えば、ページを下にスクロールするためのスクロール信号が入力され、ページの下方向にスクロールが可能である場合、スクロール判断部１２０は、スクロール信号の用途を、ページスクロールと決定する。一方、ページを下にスクロールするためのスクロール信号が入力され、ページの最下端が画面下端エッジに位置し、それ以上下にスクロールが不可能である場合、スクロール判断部１２０は、スクロール信号の用途を、カテゴリー移動と決定する。
【００２６】
スクロール判断部１２０は、スクロール信号の用途が、ページのスクロールと決定されれば、スクロール命令を生成し、ページのスクロールを制御し、スクロール信号の用途が、カテゴリー移動であると決定されれば、カテゴリー移動命令を生成する。
【００２７】
一方、一実施形態によるスクロール判断部１２０は、スクロール信号が既設定の条件を満足するか否かということを決定する段階をさらに遂行することができる。前述の通り、ページのスクロールがそれ以上不可能であると判断される場合、スクロール判断部１２０は、既設定ドラッグ条件（ｐｒｅｓｅｔ  ｄｒａｇ  ｃｏｎｄｉｔｉｏｎｓ）に満足するか否かをさらに１回検査することができる。ドラッグ条件を満足すれば、スクロール判断部１２０は、スクロール信号に基づいて、カテゴリー移動命令を生成し、ドラッグ条件を満足しなければ、スクロール判断部１２０は、ページスクロールやカテゴリー移動命令を遂行せず、いかなる動作も遂行しない。
【００２８】
ドラッグ条件は、スクロール信号がドラッグ信号である場合、当該ドラッグ信号に適用される条件であり、ドラッグ信号の長さ、速度、及び前記ドラッグ信号が入力された全時間のうち少なくとも１つのパラメータが既設定基準を超える条件でもある。詳細には、ドラッグ条件は、ドラッグ信号の長さが既設定基準を超える第１条件、またはドラッグ信号が、既設定地点を通過する第２条件、またはそれら条件の組み合わせからなる。ドラッグ信号は、連続的なタッチ信号としても入力される。
【００２９】
表示制御部１３０は、画面１１を表示し、スクロール信号及びカテゴリー移動命令に基づいて、画面１１の表示を制御する。例えば、表示制御部１３０は、画面１１の第１領域にページを表示し、画面１１の第２領域にカテゴリーのリストを並べる。第１領域に表示されるページは、カテゴリーのリストのうちいずれか１つのカテゴリーに係わるコンテンツを含む。第１ページが表示される場合、第１ページには、第１カテゴリーに含まれたコンテンツが並べられ、第２ページが表示される場合、第２ページには、第２カテゴリーに含まれたコンテンツが並べられる。
【００３０】
表示制御部１３０は、複数のカテゴリーリストに含まれた各カテゴリーを、互いに異なる色相で表示することができる。第２領域に表示されたページの背景の一部領域の色相は、対応するカテゴリーの色相に基づく。
【００３１】
表示制御部１３０は、第２領域に並べられて表示された複数のカテゴリーリストのうち、第１領域に表示されるページに対応するカテゴリーを強調表示することができる。表示制御部１３０は、第１ページが第１領域に表示される間、カテゴリーリストにおいて、第１カテゴリーを強調表示し、カテゴリー移動命令によって、第１ページが第２ページに転換される場合には、カテゴリーリストにおいて、第１カテゴリーの強調表示を解除し、第２カテゴリーを強調表示することができる。
【００３２】
表示制御部１３０は、第２領域に複数のカテゴリーを、上下方向または左右方向に並べ、第２領域に隣接するように配置された第１領域に表示されたページは、複数のカテゴリーが、第２領域に並べられた方向にスクロール自在に表示される。例えば、第２領域に、複数のカテゴリーが上下方向に並べられた場合、第１領域に表示されたページは、上下方向にスクロール可能に表示される。第２領域に、複数のカテゴリーが左右方向に並べられた場合、第１領域に表示されたページは、左右方向にスクロール可能に表示される。
【００３３】
表示制御部１３０は、スクロール信号によって、第１領域に表示されたページをスクロールする。または、カテゴリー移動命令によって、第１領域に表示されたページを転換する。例えば、第１カテゴリーのコンテンツを含む第１ページの表示を、第２カテゴリーのコンテンツを含む第２ページの表示に転換する。
【００３４】
一方、スクロール判断部１２０が、カテゴリー移動命令を生成し、それによって、表示制御部１３０がカテゴリーを移動して表示する場合、前記カテゴリー移動命令は、第１カテゴリーから第２カテゴリーへの移動命令でもある。ここで、第１カテゴリーは、現在画面に表示された第１ページに対応するカテゴリーであり、第２カテゴリーは、カテゴリーリストにおいて、第１カテゴリーに隣接するように並べられたカテゴリーでもある。カテゴリーリストが一列に並べられる場合、第１カテゴリーに隣接するカテゴリーは、２個存在し、そのとき、第２カテゴリーは、スクロール信号の方向、またはスクロール信号が意図するページのスクロール方向によって決定される。例えば、スクロール信号が、ページを下方向にスクロールするための信号である場合、第２カテゴリーは、第１カテゴリーの下に並べられたカテゴリーと決定される。反対に、スクロール信号がページを上にスクロールするための信号である場合、第２カテゴリーは、第１カテゴリーの上に並べられたカテゴリーと決定される。
【００３５】
図２は、一実施形態による表示制御方法を図示したフローチャートである。
【００３６】
図２に図示されたフローチャートは、図１に図示された表示制御装置１００で、時系列的に処理される段階から構成される。従って、以下で省略された内容であるとしても、図１で図示された構成について、以上で記述された内容は、図２に図示されたフローチャートにも適用されるということが分かる。
【００３７】
図２の段階２１で、表示制御部１３０は、第１カテゴリーに含まれたコンテンツが並べられた第１ページを第１領域に表示する。
【００３８】
段階２２で、スクロール認識部１１０は、第１ページに対して入力されたスクロール信号を認識する。
【００３９】
段階２３で、スクロール判断部１２０は、第１ページの最端部が、第１領域のエッジに位置することにより、第１ページのスクロールが不可能な状況であるか否かということを決定する。第１ページのスクロールが不可能な状況であるならば、段階２５に進み、そうでなければ、段階２４に進む。
【００４０】
段階２４で、スクロール判断部１２０は、第１ページのスクロールを制御し、第１ページのスクロール命令を表示制御部１３０に出力し、表示制御部１３０をして、第１ページをスクロールして表示させる。
【００４１】
段階２５で、スクロール判断部１２０は、スクロール信号が既設定ドラッグ条件を満足するか否かということを決定する。スクロール信号が既設定ドラッグ条件を満足するならば、段階２６に進み、そうでなければ、プロセスを終了する。スクロール信号は、ドラッグ信号でもあり、ドラッグ条件は、ドラッグ信号の長さ、速度、及び前記ドラッグ信号が入力された全時間のうち少なくとも１つのパラメータが既設定基準を超える条件でもある。
【００４２】
段階２６で、表示制御部１３０は、第２カテゴリーに含まれたコンテンツが並べられた第２ページを第１領域に表示する。
【００４３】
一方、図２では、スクロール判断部１２０が、段階２３において、スクロール信号の用途を先に決定した後、段階２４で、第１ページのスクロールを行うように図示されているが、それは、次のように変形可能である。例えば、段階２４が段階２３に先行するように具現され、段階２２においてスクロール信号が認識されれば、スクロール判断部１２０は、スクロール信号を利用して、第１ページのスクロールを試み、スクロールが不可能である場合、段階２５に進むように具現されることが可能である。
【００４４】
図３ないし図９は、本発明の多様な実施形態による画面を図示した例である。
【００４５】
まず、図３は、本発明の一実施形態による画面１１を図示したものである。画面１１は、第１領域３２と、第２領域３１とを含む。第２領域３１には、複数のカテゴリーリストが並べられ、第１領域３２には、複数のカテゴリーのうちいずれか１つのカテゴリーに含まれたコンテンツ３３１が並べられた第１ページ３３が表示される。図３を参照すれば、第１ページ３３には、第１カテゴリー３１１、すなわち、コミック・カテゴリーに含まれたコンテンツ３３１が並べられている。
【００４６】
図３を参照すれば、図１の表示制御部１３０は、第１領域３２に表示された第１ページ３３に対応する第１カテゴリー３１１に対して強調表示が可能である。図３では、強調表示に陰影処理が用いられた例が図示されている。それによれば、ユーザは、現在第１領域３２に表示されたコンテンツ３３１が強調表示された第１カテゴリー３１１に含まれたコンテンツであるということ認識することができる。
【００４７】
図３に図示されていないが、第２領域３１に並べられた複数のカテゴリーそれぞれは、互いに異なる色相で表示されてもよい。各カテゴリーに係わるページの背景、あるいは一部領域は、当該カテゴリーに対応する色相で表示されてもよい。例えば、第１ページ３３の背景は、第１カテゴリー３１１の色相に対応して表示されてもよい。
【００４８】
図３を参照すれば、第２領域３１に並べられた複数のカテゴリーは、上下方向に並べられ、第１領域３２の第１ページ３３は、カテゴリーの羅列方向、すなわち、図３の場合、上下方向にスクロール自在に表示される。
【００４９】
図３を参照すれば、ユーザは、第１ページを下方向にスクロールするために、ドラッグ信号３４を入力することができる。ここで、ページが下方向にスクロールされるということは、画面に表示されるページの領域が、下に移動するという意味であり、ページの最下端に至れば、スクロールが終わる。一方、連続したタッチ動作で入力されるドラッグ信号３４の方向は、ページのスクロール方向と反対でもある。例えば、ドラッグ信号３４が下から上に向かう方向に入力されれば、第１ページは、ドラッグ方向の反対方向である下方向にスクロールされる。図３に図示されていないが、他の具現例により、スクロール信号として、マウスのホイール回転が入力される場合、回転方向は、ページのスクロール方向と同一でもある。例えば、ホイールが下方向に回転すれば、第１ページは、ホイール方向と同一に下方向にスクロールされる。
【００５０】
図４は、図３の画面１１に対してドラッグ信号３４が入力され、第１ページ３３の最下端までスクロールが完了した状態を図示したものである。
【００５１】
図４を参照すれば、図１のスクロール認識部１１０は、ドラッグ信号４１を認識し、スクロール判断部１２０は、ドラッグ信号４１による制御方法を判断する。スクロール判断部１２０は、図４に図示されたように、ドラッグ信号４１が下方向への第１ページ３３ドラッグのための信号であり、第１ページ３３の最下端が、第１領域３２の最下端に位置し、それ以上第１ページ３３を下方向にドラッグすることができない場合、カテゴリー移動命令を生成することができる。
【００５２】
一方、スクロール判断部１２０は、カテゴリー移動命令を生成する前に、ドラッグ信号４１が、既設定ドラッグ条件を満足するか否かという条件をさらに判断することができ、条件が満足される場合、カテゴリー移動命令を生成することができる。条件が満足されなければ、ページのスクロールも行わず、カテゴリーの移動も行わない。
【００５３】
ドラッグ条件は、ドラッグ信号４１の長さ、速度、位置などのパラメータが既設定基準を満足するか否かという条件を含む。例えば、ドラッグ信号４１の長さが、既設定基準長を超えれば、ドラッグ条件を満足することができる。あるいは、ドラッグ信号４１のドラッグ速度が、既設定基準速度を超えれば、ドラッグ条件を満足することができる。または、ドラッグ信号４１が既設定位置を通過する場合、ドラッグ条件を満足することができる。例えば、図４の場合、ドラッグ信号４１が、第１領域３２の最下端から所定距離ほど離れた地点を通過するまで入力されれば、ドラッグ条件を満足することができる。
【００５４】
このようなドラッグ条件の判断を行うことによって、ページの端部分でスクロール信号が入力されれば、無条件にカテゴリーが移動されるのではなく、ドラッグ条件を満足する信号が入力されれば、カテゴリーが移動されるので、意図しないようにカテゴリーが移動され、不都合を引き起こすこともない。
【００５５】
カテゴリー移動命令は、第１カテゴリー３１１であるコミック・カテゴリーから、第１カテゴリー３１１に隣接する第２カテゴリーであるロマンス・カテゴリーまたはヒーロー・カテゴリーへの移動命令でもあり、カテゴリーが移動されれば、第１領域３２に表示されるページが転換される。
【００５６】
第２カテゴリーは、ドラッグ信号４１によるページスクロール方向によって決定される。例えば、ドラッグ信号４１は、第１ページ３３を下方向にスクロールする信号であるので、第２カテゴリーは、現在表示された第１ページに対応する第１カテゴリー３１１であるコミック・カテゴリーの下に並べられたヒーロー・カテゴリーと決定されてもよい。
【００５７】
表示制御部１３０は、第１ページ３３の表示を転換する前に、カテゴリー移動命令が生成されれば、第１ページ３３のエッジに、第２カテゴリーへの転換を予告することができるパネル３３２を表示することができる。パネル３３２の位置は、ページのスクロール方向によって決定される。例えば、図４の場合、ページのスクロール方向が下方向であるので、パネル３３２は、第１ページ３３の最下端に表示される。
【００５８】
パネル３３２は、第２カテゴリーの名称を表示したり、あるいは下方向のカテゴリーに移動することを意味する下方向矢印のイメージを表示したりすることができる。ただし、パネル３３２の表示は、図４に図示された例に限定されるものではなく、第２カテゴリーの色相を表示したり、あるいは第２カテゴリーのパターンを表示したりするなど、多様な方法で表示されてもよい。
【００５９】
図５は、図４のドラッグ信号４１の入力によって、第１ページが第２ページに転換された例を図示したものである。詳細には、図５は、図４のドラッグ信号４１に対する判断によって、カテゴリー移動命令が生成され、カテゴリーが移動された後の画面１１を図示したものである。
【００６０】
図５を参照すれば、第１領域３２に表示された第２ページ５１は、第２カテゴリー３１２に含まれたコンテンツ５１１を並べている。第１カテゴリー３１１（図４）に表示された強調表示は解除され、第２カテゴリー３１２に強調表示されていることが分かる。図５に図示されていないが、第２ページ５１の背景の色相は、第２カテゴリー３１２の色相（または、パターン）に対応することが可能である。
【００６１】
図１の表示制御部１３０は、図５に表示された第２ページ５１を、第１領域３２に露出させるとき、第２ページ５１に対してアニメーションを適用することができる。例えば、第２ページ５１に含まれたコンテンツ５１１の大きさが拡張されるアニメーション、各コンテンツ５１１が移動するアニメーションなどを適用することができる。アニメーションの適用は、ユーザが既存のページに含まれたコンテンツが、単純にスクロールされるのではなく、新たなページに転換されたことを直観的に認知することに寄与することができる。
【００６２】
図３ないし図５を参照すれば、ユーザは、ページをスクロールしていて、ページの端部に至ったとき、所定のドラッグ条件を満足するドラッグ信号を入力することにより、ページを他のページに転換することができる。転換されるページは、ドラッグ信号の方向によって決定され、ページの転換によって、第２領域３１の表示も同期的に転換されるので、ユーザは、ページがいかに転換されたかということを直観的に認識することができる。
【００６３】
図６は、図３に図示された画面１１と同一構成の画面１１が表示されたとき、図３のドラッグ信号３４と反対方向のドラッグ信号６１が入力される例を図示したものである。
【００６４】
図６を参照すれば、ドラッグ信号６１は、上から下への方向に連続した入力であり、それは、第１ページ６２を上側にスクロールするためのものであると認識される。しかし、図６を参照すれば、第１領域３２に表示された第１ページ６２の最上端が、第１領域３２の最上端に位置し、現在それ以上上側へのスクロールが不可能であるということを確認することができる。その場合、図１のスクロール判断部１２０は、カテゴリー移動命令を生成することができる。カテゴリー移動命令は、第１カテゴリーから第２カテゴリーへの移動でもあり、カテゴリー移動によって、第１領域３２に表示されるページが転換され、第２領域３１の表示が変更される。
【００６５】
スクロール判断部１２０は、ドラッグ信号６１によるページのスクロール方向によって、第２カテゴリーを決定することができる。例えば、図６の場合、ドラッグ信号６１によるページのスクロール方向は、上側であり、第２カテゴリーは、第１カテゴリー３１１の上側に並べられたロマンス・カテゴリーと決定される。
【００６６】
一方、前述のように、スクロール判断部１２０は、カテゴリー移動命令を生成する前に、ドラッグ信号６１が、既設定ドラッグ条件を満足するか否かという条件を判断することができ、条件が満足される場合、カテゴリー移動命令を生成することができる。条件が満足されなければ、ページのスクロールも行わず、カテゴリーの移動も行われない。
【００６７】
表示制御部１３０は、第１ページ６２の表示を転換する前に、カテゴリー移動命令が生成されれば、第１ページ６２のエッジに、第２カテゴリーへの転換を予告することができるパネル６２１を表示することができる。パネル６２１の位置は、ページのスクロール方向によって決定される。例えば、図６の場合、ページのスクロール方向が上側であるので、パネル６２１は、第１ページ６２の最上端に表示される。
【００６８】
パネル６２１は、第２カテゴリーの名称を表示したり、あるいは上側のカテゴリーに移動することを意味する上側矢印のイメージを表示することができる。ただし、パネル６２１の表示は、図６に図示された例に限定されるものではなく、第２カテゴリーの色相を表示したり、あるいは第２カテゴリーのパターンを表示するなど、多様な方法で表示されてもよい。
【００６９】
図７は、図６のドラッグ信号６１によって、第１ページが第２ページに転換された例を図示したものである。詳細には、図７は、図６のドラッグ信号６１に対する判断によって、カテゴリー移動命令が生成され、カテゴリーが移動された後の画面１１を図示したものである。
【００７０】
図７を参照すれば、第１領域３２に表示された第２ページ７１は、第２カテゴリー３１２に含まれたコンテンツ７１１を並べている。第１カテゴリー３１１（図６）に表示された強調表示は解除され、第２カテゴリー３１２に強調表示されていることが分かる。図７に図示されていないが、第２ページ７１の背景の色相は、第２カテゴリー３１２の色相（または、パターン）に対応することが可能である。
【００７１】
一方、図１の表示制御部１３０は、図７に表示された第２ページ７１を、第１領域３２に露出させるとき、第２ページ７１に対してアニメーションを適用することができ、アニメーションの例示は、図５を参照して説明したので省略する。
【００７２】
図３ないし図７を参照すれば、ユーザは、ページをスクロールしていて、ページの端部に至ったとき、所定のドラッグ条件を満足するドラッグ信号を入力することにより、ページを他のページに転換することができる。例えば、ユーザは、ページを下にスクロールしていて、ページの下端部に至ったとき、所定のドラッグ条件を満足するドラッグ信号を入力することにより、ページを、下のカテゴリーのページに転換することができる。反対に、ユーザは、ページを上にスクロールしていて、ページの上端部に至ったとき、所定のドラッグ条件を満足するドラッグ信号を入力することにより、ページを上のカテゴリーのページに転換することができる。転換されるページは、ドラッグ信号の方向によって決定され、ページの転換によって、第２領域３１の表示も、同期的に転換されるので、ユーザは、ページがいかに転換されたかということを直観的に認識することができる。
【００７３】
図８は、他の実施形態による画面１１を図示したものである。
【００７４】
図３ないし図７では、カテゴリーリストが上下方向に並べられ、ページのスクロールが上下方向に可能である例を説明したが、図８は、その反対の例を図示したものである。複数のカテゴリーリストは、左右方向に並べられ、それによって、第１ページ８３は、左右方向にスクロール自在に表示される。
【００７５】
図８を参照すれば、第１領域８２と第２領域８１は、互いに上下に配置される。第１領域８２は、第１カテゴリー８１１のコンテンツ８３１を並べる第１ページ８３を表示し、第２領域８１は、複数のカテゴリーリストを並べる。
【００７６】
図８を参照すれば、ドラッグ信号８４によって、左側へのスクロール命令が認識される。ドラッグ信号８４は、左側から右側へのドラッグ信号でもあり、それによって、第１ページ８３を左にスクロールするための命令が生成される。図８の場合、左側方向へのスクロールが認識されたが、第１ページ８３の左側最端が、第１領域８２のエッジに位置し、それ以上左にスクロール不可能な状況であるということが分かる。そのような場合、図１のスクロール判断部１２０は、カテゴリー移動命令を生成することができる。カテゴリー移動命令は、第１カテゴリーから第２カテゴリーへの移動でもあり、カテゴリー移動によって、第１領域８２に表示されるページが転換され、第２領域８１の表示が変更される。
【００７７】
スクロール判断部１２０は、ドラッグ信号８４によるページのスクロール方向によって、第２カテゴリーを決定することができる。例えば、図８の場合、ドラッグ信号８４によるページのスクロール方向が左側方向であり、第２カテゴリーは、第１カテゴリー８１１の左側方向に並べられたロマンス・カテゴリーと決定される。
【００７８】
一方、前述のように、スクロール判断部１２０は、カテゴリー移動命令を生成する前に、ドラッグ信号８４が、既設定ドラッグ条件を満足するか否かという条件を判断することができ、条件が満足される場合、カテゴリー移動命令を生成することができる。条件が満足されなければ、ページのスクロールも行われず、カテゴリーの移動も行われない。
【００７９】
表示制御部１３０は、カテゴリーを移動する前、カテゴリーの移動を知らせることができる表示を、第１ページの左端にパネルとして表示することができる。図８では、パネルにグラデーションで陰影処理された様子が図示されている。図８に図示されているように、パネルは、移動されるカテゴリーの情報を示さず、ただカテゴリーが移動されたり、あるいはページが転換されたりするという情報を伝達するための目的に表示されてもよい。
【００８０】
図９は、図８の画面１１において、ドラッグ信号８４の入力によって、ページが転換された例を図示したものである。詳細には、図９は、図８のドラッグ信号８４に対する判断によって、カテゴリー移動命令が生成され、カテゴリーが移動された後の画面１１を図示したものである。
【００８１】
図９を参照すれば、第１領域８２に表示された第２ページ９３は、第２カテゴリー８１２に含まれたコンテンツ９３１を並べている。第１カテゴリー８１１（図８）に表示された強調表示は解除され、第２カテゴリー８１２に強調表示されていることが分かる。図９に図示されていないが、第２ページ９３の背景の色相は、第２カテゴリー８１２の色相（または、パターン）に対応することが可能である。
【００８２】
一方、図１の表示制御部１３０は、図９に表示された第２ページ９３を、第１領域８２に露出させるとき、第２ページ９３に対してアニメーションを適用することができ、アニメーションの例示は、図５を参照して説明したので省略する。
【００８３】
図８及び図９を参照すれば、ユーザは、ページを左右にスクロールしていて、ページの端部に至ったとき、所定のドラッグ条件を満足するドラッグ信号を入力することにより、ページを他のページに転換することができる。例えば、ユーザは、ページを左にスクロールしていて、ページの左側端部に至ったとき、所定のドラッグ条件を満足するドラッグ信号を入力することにより、ページを左側カテゴリーのページに転換することができる。反対に、ユーザは、ページを右側にスクロールしていて、ページの右側端部に至ったとき、所定のドラッグ条件を満足するドラッグ信号を入力することにより、ページを右側カテゴリーのページに転換することができる。転換されるページは、ドラッグ信号の方向によって決定され、ページの転換によって、第２領域８１の表示も、同期的に転換されるので、ユーザは、ページがいかに転換されたかということを直観的に認識することができる。
【００８４】
前述の本発明の実施形態によれば、ユーザは、カテゴリー項目を直接クリックせずとも、１カテゴリーのコンテンツを全て見た後、スクロール動作のみで、次のカテゴリーまたは以前カテゴリーのコンテンツを見ることができる。
【００８５】
前述の本発明の実施形態によれば、ユーザは、画面に表示されたコンテンツを見るためのスクロール動作の連続動作により、次のカテゴリーまたは以前カテゴリーのコンテンツを見ることができるので、ユーザにさらに便利なインターフェースが提供される。
【００８６】
前述の本発明の実施形態によれば、カテゴリーの移動を、別途の領域に並べられたカテゴリーリストでの強調表示を介して知らせ、各カテゴリーの色相、パターンなどによって、ページの背景を異なって表示し、カテゴリー移動があるときには、所定のパネルを表示し、カテゴリーの移動を予告することができる。それによってユーザは、スクロール動作によって、カテゴリーが変更されたということを認知することができ、カテゴリーが変更されたにもかかわらず、同一カテゴリー内のコンテンツとして誤って認識することがなくなる。
【００８７】
前述の図２に図示された本発明の一実施形態による表示制御方法は、コンピュータで実行させるプログラムで作成可能であり、コンピュータで読み取り可能な記録媒体を利用して、前記プログラムを動作させる汎用デジタルコンピュータで具現される。前記コンピュータで読み取り可能な記録媒体は、マグネチック記録媒体（例えば、ＲＯＭ（ｒｅａｄ  ｏｎｌｙ  ｍｅｍｏｒｙ）、フロッピーディスク（登録商標）、ハードディスクなど）、光学的判読媒体（例えば、ＣＤ（ｃｏｍｐａｃｔ  ｄｉｓｃ）−ＲＯＭ、ＤＶＤ（ｄｉｇｉｔａｌ  ｖｅｒｓａｔｉｌｅ  ｄｉｓｃ）など）のような記録媒体を含む。
【００８８】
本発明の一実施形態によれば、前述の本発明の一実施形態による表示制御方法を、コンピュータで実行させることができるプログラム、及びそれを配布する配布サーバーとして提供される。
【００８９】
以上、本発明は、図面に図示された一実施形態を参照して説明したが、それらは例示的なことに過ぎず、当該分野で当業者であるならば、それらから多様な変形及び実施形態の変形が可能であるという点を理解するであろう。従って、本発明の真の技術的保護範囲は、特許請求の範囲の技術的思想によって決められるものである。
【産業上の利用可能性】
【００９０】
本発明の表示制御装置、表示制御方法、及びそれをコンピュータで実行するためのコンピュータ・プログラムは、例えば、タッチスクリーンでの表示関連の技術分野に効果的に適用可能である。
【符号の説明】
【００９１】
１０    端末
１１    画面
３２，８２    第１領域
３１１，８１１    第１カテゴリー
３１２，８１２    第２カテゴリー
３１，８１    第２領域
３３，６２，８３    第１ページ
３３１，５１１，７１１，８３１，９３１    コンテンツ
３３２，６２１    パネル
３４，４１，６１，８４    ドラッグ信号
５１，７１，９３    第２ページ
１００    表示制御装置
１１０    スクロール認識部
１２０    スクロール判断部
１３０    表示制御部
【図１】
2016038900.tif 000003
【図２】
2016038900.tif 000004
【図３】
2016038900.tif 000005
【図４】
2016038900.tif 000006
【図５】
2016038900.tif 000007
【図６】
2016038900.tif 000008
【図７】
2016038900.tif 000009
【図８】
2016038900.tif 000010
【図９】
2016038900.tif 000011